【事件の表示】
　平成　３年特許願第２６５９５９号「画像回転処理装置」拒絶査定に対する審判事件［平成　５年　４月３０日出願公開、特開平　５−１０８８１２］について、次のとおり審決する。
【結　論】
　本件審判の請求は、成り立たない。
【理　由】
１．手続きの経緯・本願発明
　本願は、平成３年１０月１５日の出願であり、その発明は、平成１０年１１月６日付けの手続補正書により補正された明細書及び図面の記載からみて、特許請求の範囲の請求項１〜９に記載されたとおりの「画像回転処理装置」と認められるところ、請求項１に係る発明（以下「本願発明」という。）は次のとおりである。
「画像読取り手段と、画像回転角度及び画像領域サイズを設定する制御手段と、画像読取り手段により読み取られて順次入力される画像データを設定された角度に回転処理する画像回転手段と、画像回転したデータが蓄積されるページメモリとを備えた画像回転処理装置において、前記画像回転手段は、設定された回転角度によらずに順次入力される画像データが所定ライン毎に交互に書き込まれ、一時記憶する第１、第２のバッファメモリからなる記憶手段と、該記憶手段に書き込まれた画像データを、第１、第２のバッファメモリから所定ライン毎に交互に、設定された回転角度に応じてワード単位に指定された番地から読み出す画像データ読み出し手段と、読み出された画像データを設定された回転角度に応じてページメモリの指定された番地へ順次書き込んでいく画像データ書き込み手段とを備え、
　前記第１、第２のバッファメモリは、順次入力される画像データの１画素あたりのビット幅ｎ（ｎ≧２）とページメモリの１ワードのビット幅ｍに対しｍ／ｎライン毎に交互に書き込まれ、前記画像データ読み出し手段は、第１または第２のバッファメモリに書き込まれたｍ／ｎラインの画像データを、設定された回転角度に応じて指定された番地からページメモリの１ワード分ずつ順次ｍ／ｎライン毎に交互に読み出すことを特徴とする画像回転処理装置。」
　
　
２．引用例
　これに対して、原査定の拒絶の理由に引用された特開昭６３−１３７３７６号公報（昭和６３年６月９日出願公開。以下「引用例１」という。）には、イメージ処理システムに採用して好適な高速回転回路に関し、図面と共に以下のことが記載されている。
（１）「ページメモリとして用いられるメモリ回路は通常１語を横方向に並べて構成するため、横方向には１語単位で読み書きできるが横方向（注：「縦方向」の誤記と認められる。）には１ビット単位でしか読み書きできない。そのため、０度、１８０度回転は１語単位で処理が行なえるのに対し、±９０度回転は１ビット単位の処理となり著しく処理速度が低下してしまうという欠点があった。」（２頁上左欄８〜１５行）
（２）「本発明はそのデータがビット単位ではなく語単位で得られる場合、回転回路はそのデータを直接受け、±９０度回転においてもあくまで語単位で処理を行なえるようにするのが主目的である。」（２頁上右欄１４〜１８行）
（３）「このため、回転回路を入力データビットの正順／逆順の入れ替えを行なうデータセレクタと、入力データの縦横変換を行なう縦横変換回路と、１語のビット幅と同数ライン分の容量を持つバッファと、上記縦横変換回路による処理を有効とするか否かを決定するセレクタで構成した。」（２頁下左欄２〜７行）
（４）「転送モードが入力ラスタスキャンモードの場合第１のデータセレクタを介して得られるデータが８ライン（１語８ビットを想定）分揃う迄そのデータを直接バッファＲＡＭへ順次書込む。８ライン分揃ったところで続く入力データを他方のＲＡＭへ書込み、既に書込みが終了した他方のバッファＲＡＭからそのデータを読出す。読出されたデータは第２の縦横変換回路へ入力され、ここで１語単位で縦横変換された内容をページメモリへ書込む。このことにより９０度回転がなされる。」（２頁下左欄９〜１９行）
（５）「データセレクタ１１，１２は入力データを正順（そのまま）又は逆順（ＭＳＢ側とＬＳＢ側のデータビットの入れ替え）にて出力する　（中略）　１４は語単位で縦横変換処理を行なう縦横変換回路である。　（中略）　バッファＲＡＭ１５は、１語Ｎビット、扱うイメージの横方向の総ドット数がＭドットのとき、Ｍ×Ｎドット（Ｍ語）の容量を持つメモリを２個用いる。　（中略）　セレクタ１６はデータセレクタ１１出力ならびに縦横変換回路１３出力を入力として得、後述するデータ転送モードに従い、いずれか一方のバッファＲＡＭ１５へ選択出力する。セレクタ１７はバッファＲＡＭ１５出力ならびに縦横変換回路１４出力を入力として得、後述するデータ転送モードに従がいいずれか一方をデータセレクタ１２に対し選択出力する。」（２頁下右欄１４行〜３頁上左欄１３行）
（６）「まず入力ラスタスキャンモードの場合入力データは第２図（ａ）に示すようにＨ０，Ｈ１，Ｈ２，Ｈ３，…，Ｈ３１の順番で送られてくる。ここで１語のビット幅が８ビットであると仮定すると、入力データが８ライン分揃うまでバッファＲＡＭ１５へ順次書き込んでゆく。即ち、Ｈ０，Ｈ１，Ｈ２，…Ｈ１５のデータを書き込む。バッファＲＡＭ１５は２個あるが、書き込みは片側のみに行い、８ライン分揃ったところで続く入力データＨ１６，Ｈ１７，…，Ｈ３１は他方のバッファＲＡＭ１５に書き込み、Ｈ０，Ｈ１，…，Ｈ１５のデータを書き込んだバッファＲＡＭ１５からはそのデータの読み出しを行う。この例の場合、入力データは１６ラインだが、これ以上のデータがある場合８ラインずつ交互に書き込みを行うＲＡＭと読み出しを行うＲＡＭを入れ換えれば良い。」（３頁下左欄１６行〜同頁下右欄１１行）
（７）「読み出しは第２図（ｂ）のようにＨ０，Ｈ２，Ｈ４，…，Ｈ１４，Ｈ１，Ｈ３，Ｈ５，…，Ｈ１５の順に行い、それを縦横変換回路１４に入力する。ここでは、例えば８×８のレジスタマトリクスを用い、まずＨ０，Ｈ２，Ｈ４，…，Ｈ１４の８語を横８ビットずつ書き込み、それを縦８ビットずつ８語第２図（ｃ）のようにＶ０，Ｖ１，Ｖ２，…，Ｖ７を出力する。マトリクスを２個用いて書き込み、読み出しに交互に用いることにより、Ｖ０，Ｖ１，…，Ｖ７の出力中に他方のマトリクスへＨ１，Ｈ３，…，Ｈ１４を書き込めば縦横変換回路１４は入出力の速度差無しで１語単位に処理することができる。即ち、８×８のレジスタマトリクスに８ライン分のデータを用意し、各８ビットのうちＭＳＢから１ビットずつ順次選択していくことにより、１語単位の縦横変換を実現できる。続く８ラインの入力データＨ１６，Ｈ１７，…，Ｈ３１についても同様に処理を行ってＶ１６，Ｖ１７，…，Ｖ３１を得、それをページメモリに（ｄ）に示す順序で書き込むことにより９０度回転が達成される。」（３頁下右欄１２行〜４頁上左欄１０行）
　
　
３．対比
（１）引用例１に記載された発明は、得られたデータが８ライン（１語８ビットを想定）分揃う迄そのデータを直接バッファＲＡＭへ順次書込み、８ライン分揃ったところで続く入力データを他方のＲＡＭへ書込むものであり（上記２．（４）参照）、具体的には、Ｈ０，Ｈ１，Ｈ２，Ｈ３，…，Ｈ３１の順番で送られてくる入力データを、８ライン分揃うまでバッファＲＡＭ１５へ、Ｈ０，Ｈ１，Ｈ２，…Ｈ１５のデータを順次書き込み、８ライン分揃ったところで続く入力データＨ１６，Ｈ１７，…，Ｈ３１は他方のバッファＲＡＭ１５に書き込み、８ラインずつ交互に書き込みを行うＲＡＭと読み出しを行うＲＡＭを入れ換えるものであるから（上記２．（６）及び第２図参照）、一方及び他方のＲＡＭ１５は、本願発明の「回転角度によらずに順次入力される画像データが所定ライン毎に交互に書き込まれ、一時記憶する第１、第２のバッファメモリからなる記憶手段」に相当する。
（２）引用例１に記載された発明は、既に書込みが終了した方のバッファＲＡＭからデータを読み出して縦横変換回路へ入力し、ここで１語単位（すなわち、ワード単位）で縦横変換された内容をページメモリへ書き込むことにより９０度回転をなすものであり（上記２．（４）参照）、具体的には、読み出しは第２図（ｂ）のようにＨ０，Ｈ２，Ｈ４，…，Ｈ１４，Ｈ１，Ｈ３，Ｈ５，…，Ｈ１５の順に行い、まずＨ０，Ｈ２，Ｈ４，…，Ｈ１４の８語を横８ビットずつ縦横変換回路１４に入力し、８×８のレジスタマトリクスに８ライン分のデータを用意し、各８ビットのうちＭＳＢから１ビットずつ順次選択していくことにより１語単位の縦横変換を実現し、それを縦８ビットずつ８語第２図（ｃ）のようにＶ０，Ｖ１，Ｖ２，…，Ｖ７を出力するものであり、続く８ラインの入力データＨ１６，Ｈ１７，…，Ｈ３１についても同様に処理を行ってＶ１６，Ｖ１７，…，Ｖ３１を得、それをページメモリに（ｄ）に示す順序で書き込むことにより９０度回転が達成されるものであるから（上記２．（７）及び第２図参照）、引用例１に記載された発明の縦横変換回路１４は、「記憶手段に書き込まれた画像データを、第１、第２のバッファメモリから所定ライン毎に交互に、設定された回転角度に応じてワード単位に指定された番地から画像データを読み出し、読み出された画像データを設定された回転角度に応じてページメモリの指定された番地へ順次画像データを書き込んでいく手段」の点で、本願発明の画像データ読み出し手段及び画像データ書き込み手段と差異がない。
（３）上記（１）、（２）から、引用例１に記載された発明のバッファＲＡＭ、縦横変換回路１４は、後述する相違点は別として、記憶手段と画像データ読み出し手段及び画像データ書き込み手段とを備える本願発明の画像回転手段に相当するものと認められる。
（４）引用例１に記載された発明は、１語（１ワード）のビット幅が８ビットとしたとき、それに対応して、２つのバッファＲＡＭへ交互にデータを８ライン分ずつ順次書込み、当該２つのバッファＲＡＭから交互にデータを読出して第２の縦横変換回路で１語（１ワード）単位で縦横変換された内容をページメモリへ書込むものであるから（上記２．（４）、（５）、（７）参照）、「第１、第２のバッファメモリは、ページメモリの１ワードのビット幅に対応して数ライン毎に交互に書き込まれ、前記画像データ読み出し手段は、第１または第２のバッファメモリに書き込まれた数ラインの画像データを、設定された回転角度に応じて指定された番地からページメモリの１ワード分ずつ順次数ライン毎に交互に読み出す」点で本願発明と差異がない。
　
　以上のことから、本願発明と引用例１に記載された発明とは、
「順次入力される画像データを回転処理する画像回転手段と、画像回転したデータが蓄積されるページメモリとを備えた画像回転処理装置において、前記画像回転手段は、回転角度によらずに順次入力される画像データが所定ライン毎に交互に書き込まれ、一時記憶する第１、第２のバッファメモリからなる記憶手段と、該記憶手段に書き込まれた画像データを、第１、第２のバッファメモリから所定ライン毎に交互に、設定された回転角度に応じてワード単位に指定された番地から画像データを読み出し、読み出された画像データを設定された回転角度に応じてページメモリの指定された番地へ順次画像データ書き込んでいく手段とを備え、
　第１、第２のバッファメモリは、ページメモリの１ワードのビット幅に対応して数ライン毎に交互に書き込まれ、前記画像データ読み出し手段は、第１または第２のバッファメモリに書き込まれた数ラインの画像データを、設定された回転角度に応じて指定された番地からページメモリの１ワード分ずつ順次数ライン毎に交互に読み出すことを特徴とする画像回転処理装置。」
の点で一致し、以下の点で相違している。
（相違点１）
　本願発明は、「画像読取り手段」、「画像回転角度及び画像領域サイズを設定する制御手段」、「画像データ読み出し手段」、「画像データ書き込み手段」を備えているのに対し、引用例１に記載された発明は、これらの手段が明記されていない点。
（相違点２）
　本願発明は、「第１、第２のバッファメモリは、順次入力される画像データの１画素あたりのビット幅ｎとページメモリの１ワードのビット幅ｍに対しｍ／ｎライン毎に交互に書き込まれ、前記画像データ読み出し手段は、第１または第２のバッファメモリに書き込まれたｍ／ｎラインの画像データを、設定された回転角度に応じて指定された番地からページメモリの１ワード分ずつ順次ｍ／ｎライン毎に交互に読み出す」と表現したときに、画像データの１画素あたりのビット幅ｎがｎ≧２であるのに対し、引用例１に記載された発明は、ｎ＝１のものについてのみしか記載していない点。
　
　
４．当審の判断
　まず、相違点１について検討する。
　回転処理すべき画像データを画像読取り手段から得ることは普通に行われていることであるから（必要とあれば、例えば原査定の拒絶の理由に引用された特開昭６１−２６１７９号公報参照）、画像読取り手段を備えるようにすることは当業者が必要に応じて適宜なし得ることである。
　また、引用例１に記載された発明は、０°、９０°、１８０°、−９０°の回転角を選べるものであるから（上記２．（１）及び第４、６図参照）、特に明記はされていないが、「画像回転角度を設定する制御手段」を備えているものと認められる。さらに、引用例１に記載された発明は、「１語Ｎビット、扱うイメージの横方向の総ドット数がＭドットのとき、Ｍ×Ｎドット（Ｍ語）の容量をメモリを２個用いる」ものであるから（上記２．（５）参照）、扱うイメージのサイズを考慮しているものと認められ、「画像領域サイズを設定する制御手段」を備えることも、当業者が必要に応じて適宜なし得ることにすぎない。
　さらに、引用例１に記載された発明は、上記３．（２）で述べたように、バッファＲＡＭからの読み出し及びページメモリへの書き込みを行い、本願発明の「画像データ読み出し手段」及び「画像データ書き込み手段」と同様の作用をなすものであるから、同様の手段を有することは当業者に自明であり、これらの手段が明記されていないことは、単なる表現の相違にすぎないものである。
　
　次に、相違点２について検討する。
　まず、１画素を複数ビットとしたときの画像処理は、審判請求人も平成１１年８月２３日付け審判請求理由補充書（第７頁下から５行参照）にて認めているように周知である。
　そして、引用例１に記載された発明は、ページメモリとして用いられるメモリ回路は通常１語（すなわち、１ワード）を横方向に並べて構成するので横方向には１語単位で読み書きできるが縦方向には１ビット単位でしか読み書きできないため、±９０度回転は１ビット単位の処理となり著しく処理速度が低下してしまうという欠点があったことから、データがビット単位ではなく語単位で得られる場合、回転回路はそのデータを直接受け、±９０度回転においてもあくまで語単位で処理を行なえるようにすることを目的とするものであり（上記２．（１）、（２）参照）、そのために語（ワード）単位で処理を行い得るようにすべく、１語（ワード）のビット幅を８ビットと仮定したとき、入力データが８ライン分揃う迄バッファＲＡＭに書き込み、これにより８×８のレジスタマトリクスにより９０度回転処理を行うものである（上記２．（４）、（６）、（７）参照）。すなわち、引用例１に記載された発明は、ワード単位で処理を行うためには、縦方向に１ワードと同数のビットを用意する必要があり、そのために、縦方向にみたとき１ラインが１ビットとなるもの（すなわち、１画素が１ビットのもの）においては８ラインまとめることにより、１ワードのビット数と同数のビット数の縦方向のデータを形成しようとしているものと認めることができる。
　したがって、１画素が複数ビットの情報からなる場合であっても、縦方向のビット数とワードのビット幅を同じくすることにより、同じくワード単位の処理が行えるようにすることは、当業者に容易に推察されることである。
　よって、周知の１画素をｎビット（ｎ≧２）としたときに対応して、縦方向のビット数とワードのビット幅を同じくすべく、順次入力される画像データの１画素あたりのビット幅ｎ（ｎ≧２）とページメモリの１ワードのビット幅ｍに対しｍ／ｎライン毎に交互に書き込まれ、前記画像データ読み出し手段は、第１または第２のバッファメモリに書き込まれたｍ／ｎラインの画像データを、設定された回転角度に応じて指定された番地からページメモリの１ワード分ずつ順次ｍ／ｎライン毎に交互に読み出す」ようにすることは、当業者が容易に想到し得ることである。
　
　
５．むすび
　以上のとおり、本願発明は、引用例１に記載された発明及び周知の技術事項に基いて、当業者が容易に発明をすることができたものであるので、特許法第２９条第２項の規定により特許を受けることができない。
　したがって、本願の特許請求の範囲の他の請求項２〜９に係る発明について検討するまでもなく、本願は拒絶すべきものである。
　よって、結論のとおり審決する。